(57)【要約】  本開示は、測定方法、設定方法および装置を提供する。前記測定方法は、ネットワーク装置が設定されている測定値の閾値を受信することと、前記端末が位置するセルまたは隣接セルの測定値、および測定値の閾値が第１条件を満たす場合において、第１条件に該当する目標隣接セルに対する測定および／または追跡を確定することと、を含む。【選択図】  図２
2021535660.tif 000002
【特許請求の範囲】
【請求項１】
端末に適用する測定方法であって、
ネットワーク装置が設定されている測定値の閾値を受信することと、
端末が位置するセルまたは隣接セルの測定値、および測定値の閾値が第１条件を満たす場合において、第１条件に該当する目標隣接セルに対する測定および／または追跡を確定することと、を備えることを特徴とする測定方法。
【請求項２】
前記第１条件に該当する目標隣接セルに対する測定および／または追跡を確定した後、前記測定方法は、
目標隣接セルを検索して、検索したすべてまたは第１プリセット数の目標隣接セルに対して測定する、ことを備えることを特徴とする請求項１に記載の測定方法。
【請求項３】
測定値の閾値は、第１閾値、第２閾値および第３閾値のうち、少なくとも１つを含み、
前記第１条件は、
前記端末が位置するセルの測定値＜第１閾値、
前記隣接セルの測定値＞第２閾値、
該当する測定値＞第３閾値の隣接セル数＞第２プリセット数のうち、少なくとも１つを含み、
前記目標隣接セルは、
プリセットの第１隣接セルグループにある隣接セル、
該当する測定値＞第２閾値または第３閾値の隣接セル、
第３プリセット数の隣接セルのうち、少なくとも１つを備える、ことを特徴とする請求項１に記載の測定方法。
【請求項４】
測定値の閾値は、第４閾値、第５閾値、第６閾値、第７閾値および第８閾値のうち、少なくとも１つを含み、
前記第１条件は、
前記端末が位置するセルの測定値＜第４閾値、
隣接セルの測定値＞第５閾値、
該当する測定値＞第６閾値の隣接セル数＞第４プリセット数、
現在測定または追跡する隣接セルの測定値＜第７閾値、
プリセットの第１隣接セルグループにある隣接セルの測定値＜第８閾値のうち、少なくとも１つを含み、
前記目標隣接セルは、
プリセットの第２隣接セルグループにある隣接セル、
該当する測定値＞第５閾値または第６閾値の隣接セル、
第５プリセット数の隣接セルのうち、少なくとも１つを備える、ことを特徴とする請求項１または請求項３に記載の測定方法。
【請求項５】
第１閾値＞第４閾値、第２閾値＞第５閾値、第３閾値＞第６閾値、または、
第１閾値＜第４閾値、第２閾値＜第５閾値、第３閾値＜第６閾値を備える、ことを特徴とする請求項４に記載の測定方法。
【請求項６】
前記隣接セルの測定値＞第２閾値または第５閾値という条件は、
第６プリセット数または隣接セルリストにあるすべての隣接セルの測定値＞第２閾値または第５閾値、
該当する測定値＞第２閾値または第５閾値の隣接セル数＞第７プリセット数、
（第１のプリセット時間において）第８プリセット数または隣接セルリストにあるすべての隣接セルの測定値＞第２閾値または第５閾値、
（第２のプリセット時間において）該当する測定値＞第２閾値または第５閾値の隣接セル数＞第９プリセット数のうち、少なくとも１つを備える、ことを特徴とする請求項３または請求項４に記載の測定方法。
【請求項７】
前記隣接セルの測定値＜第７閾値または第８閾値という条件は、
第１０プリセット数または隣接セルリストにあるすべての隣接セルの測定値＜第７閾値または第８閾値、
第１１プリセット数＜該当する測定値＜第７閾値または第８閾値の隣接セル数、
（第３のプリセット時間において）第１２プリセット数または隣接セルリストにあるすべての隣接セルの測定値＜第７閾値または第８閾値、
（第４のプリセット時間において）第１３プリセット数＜該当する測定値＜第７閾値または第８閾値の隣接セル数のうち、少なくとも１つを備える、ことを特徴とする請求項４に記載の測定方法。
【請求項８】
ネットワーク装置が設定されている測定値の閾値を受信することは、
ブロードキャストメッセージ、システムメッセージ、ＲＲＣメッセージまたはＰＤＣＣＨから伝送するデータにより、ネットワーク装置が設定されている、測定値の閾値を受信することを備える、ことを特徴とする請求項１に記載の測定方法。
【請求項９】
前記端末が位置するセルまたは隣接セルの測定値、および前記測定値の閾値が第１条件を満たす場合において、第１条件に該当する目標隣接セルに対する測定および／または追跡を確定する前に、前記測定方法はさらに、
ネットワーク装置が設定されている、プリセット隣接セルの数および／またはプリセットの隣接セルグループに関する情報を受信することを備える、ことを特徴とする請求項１に記載の測定方法。
【請求項１０】
ネットワーク装置が設定されている、プリセット隣接セルの数またはプリセットの隣接セルグループに関する情報を受信することは、
ブロードキャストメッセージ、システムメッセージ、ＲＲＣメッセージまたはＰＤＣＣＨから伝送するデータにより、ネットワーク装置が設定されている、プリセット隣接セルの数および／またはプリセットの隣接セルグループに関する情報を受信することを備える、ことを特徴とする請求項９に記載の測定方法。
【請求項１１】
ネットワーク装置が設定されている測定値の閾値を受信することは、
ｉｎｔｅｒ−ＲＡＴおよび／または隣接する周波数の優先度が端末の位置するセルの周波数より高い場合、前記ネットワーク装置が設定されている測定値の閾値を受信することを備える、ことを特徴とする請求項１〜１０のいずれか１項に記載の測定方法。
【請求項１２】
ネットワーク装置に適用する１つの設定方法であって、
端末の測定値の閾値を設定することで、端末が位置するセルまたは隣接セルの測定値、および測定値の閾値が第１条件を満たさせて、第１条件に該当する目標隣接セルに対する測定および／または追跡を確定することを含む、ことを特徴とする設定方法。
【請求項１３】
端末の測定値の閾値を設定することは、
ブロードキャストメッセージ、システムメッセージ、ＲＲＣメッセージまたはＰＤＣＣＨから伝送するデータにより、前述端末の測定値の閾値を設定することを備える、ことを特徴とする請求項１２に記載の設定方法。
【請求項１４】
前記端末に該当する測定値の閾値の設定前または設定後、前記設定方法はさらに、
プリセット隣接セルの数および／またはプリセットの隣接セルグループに関する情報を設定することを備える、ことを特徴とする請求項１２に記載の設定方法。
【請求項１５】
プリセット隣接セルの数および／またはプリセットの隣接セルグループに関する情報を設定することは、
ブロードキャストメッセージ、システムメッセージ、ＲＲＣメッセージまたはＰＤＣＣＨから伝送するデータにより、プリセット隣接セルの数および／またはプリセットの隣接セルグループに関する情報を設定することを備える、ことを特徴とする請求項１４に記載の設定方法。
【請求項１６】
ネットワーク装置が設定されている測定値の閾値を受信するための受信モジュールと、
端末が位置するセルまたは隣接セルの測定値、および測定値の閾値が第１条件を満たす場合において、第１条件に該当する目標隣接セルに対する測定および／または追跡を確定するための処理モジュールと、を備えることを特徴とする端末。
【請求項１７】
端末の測定値の閾値を設定して、端末が位置するセルまたは隣接セルの測定値、および測定値の閾値が第１条件を満たさせて、第１条件に該当する目標隣接セルに対する測定および／または追跡を確定するための設定モジュールを備える、ことを特徴とするネットワーク装置。
【請求項１８】
プロセッサと、メモリと、メモリに格納されており、プロセッサ上で実行できるプログラムと、を含み、プロセッサから前記プログラムを実行すると、請求項１〜１１のいずれか１項に記載の測定方法のステップが実行される、ことを特徴とする端末。
【請求項１９】
プロセッサと、メモリと、メモリに格納されており、プロセッサ上で実行できるプログラムと、を含み、プロセッサから前記プログラムを実行すると、請求項１２〜１５のいずれか１項の設定方法のステップが実行される、ことを特徴とするネットワーク装置。
【請求項２０】
コンピュータプログラムが保存されており、プロセッサから前記コンピュータプログラムを実行すると、請求項１〜１１のいずれか１項の測定方法のステップ、または請求項１２〜１５のいずれか１項の設定方法のステップが実行される、ことを特徴とするコンピュータ読み取り可能な記憶媒体。
【発明の詳細な説明】
【技術分野】
【０００１】
（関連出願の相互参照）
本出願は、２０１８年８月２０日に中国で出願された中国特許出願第２０１８１０９４９２０３．３号の優先権を主張するものであり、参照によりその全体が本書に組み込まれる。
本開示の実施形態は、通信技術分野に関するものであって、具体的には、測定方法、設定方法および装置に関する。
【背景技術】
【０００２】
ロング・ターム・エヴォリューション（Ｌｏｎｇ  Ｔｅｒｍ  Ｅｖｏｌｕｔｉｏｎ、ＬＴＥ）システムにおいて、アイドル状態のプロトコルで、アイドル状態における測定に関連する設定と隣接セルの測定を引き起こす条件を定義した。
【０００３】
サービングセルでは、セルの選択した受信信号強度値（Ｓｒｘｌｅｖ）＞同一周波数による測定が開始する参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）の閾値（ＳＩｎｔｒａＳｅａｒｃｈＰ）、セルの選択した信号品質値（Ｓｑｕａｌ）＞同一周波数による測定が開始する参照信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）の閾値（ＳＩｎｔｒａＳｅａｒｃｈＱ）の場合、端末は隣接セルの測定を実行しないことを選択する。閾値より低い場合、端末は隣接セルの測定を実行する。
【０００４】
前記隣接セルの測定閾値はネットワーク側によって設定可能である。プロトコルによると、ネットワーク側によって設定されていない場合において、自セルの測定結果が複数回連続してＳ基準を満たさなければ、隣接セルの測定が発生する。
【０００５】
ただし、関連する閾値の設定方法により、端末は隣接セルの測定および／または追跡を複数回実行する必要があるため、電力をかなり消費する場合がある。
【発明の概要】
【発明が解決しようとする課題】
【０００６】
本開示の目的は、端末が隣接セルの測定および／または追跡を実行しすぎるという問題を解決する測定方法、設定方法と装置を提供することである。
【課題を解決するための手段】
【０００７】
本開示の第１の態様は、端末に適用する１つの測定方法を提供する。本方法は、
ネットワーク装置が設定されている測定値の閾値を受信することと、
端末が位置するセルまたは隣接セルの測定値、および測定値の閾値が第１条件を満たす場合において、第１条件に該当する目標隣接セルに対する測定および／または追跡を確定することと、を含む。
【０００８】
本開示の第２の態様は、ネットワーク装置に適用する１つの設定方法を提供する。本方法は、
端末の測定値の閾値を設定することで、端末が位置するセルまたは隣接セルの測定値、および測定値の閾値が第１条件を満たさせて、第１条件に該当する目標隣接セルに対する測定および／または追跡を確定することを含む。
【０００９】
本開示の第３の態様は、１つの端末を提供する。前記端末は、
ネットワーク装置が設定されている測定値の閾値を受信するための受信モジュールと、
端末が位置するセルまたは隣接セルの測定値、および測定値の閾値が第１条件を満たす場合において、第１条件に該当する目標隣接セルに対する測定および／または追跡を確定するための処理モジュールと、を備える。
【００１０】
本開示の第４の態様は、１つのネットワーク装置を提供する。前記端末は、
端末の測定値の閾値を設定することで、端末が位置するセルまたは隣接セルの測定値、および測定値の閾値が第１条件を満たさせて、第１条件に該当する目標隣接セルに対する測定および／または追跡を確定するための、設定モジュールを備える。
【００１１】
本開示の第５の態様は、１つの端末を提供する。前記端末は、プロセッサと、メモリと、メモリに格納されており、プロセッサ上で実行できるプログラムと、を備える。プロセッサから前記プログラムを実行すると、上記の測定方法のステップが実行される。
【００１２】
本開示の第６の態様は、１つのネットワーク装置を提供する。前記装置は、プロセッサと、メモリと、メモリに格納されており、プロセッサ上で実行できるプログラムと、を備える。プロセッサから前記プログラムを実行すると、上記の設定方法のステップが実行される。
【００１３】
本開示の第７の態様は、コンピュータ読み取り可能な記憶媒体を提供する。コンピュータ読み取り可能な記憶媒体にコンピュータプログラムが保存されており、プロセッサから前記コンピュータプログラムを実行すると、上記の測定方法のステップ、または上記の設定方法のステップが実行される。
【発明の効果】
【００１４】
本開示の実施形態により、端末が隣接セルの測定および／または追跡を実行する回数を減らして、省電力の目的を達成することができる。
【００１５】
選択可能な実施形態に関する下記の文を確認することにより、本分野の一般技術者もその他の各利点と利益を理解できるようになる。図面は、選択可能な実施形態を示すことを目的とし、本開示を限定するものと解釈されるべきではない。また、全体的な図面において、同じ参照記号で同じ部品を示している。
【図面の簡単な説明】
【００１６】
【図１】本開示の一実施形態に係る無線通信システムのアーキテクチャを示す図である。
【図２】本開示の一実施形態に係る測定方法の流れ図である。
【図３】本開示の一実施形態に係る設定方法の流れ図である。
【図４】本開示の一実施形態に係る端末の構成図（その１）である。
【図５】本開示の一実施形態に係るネットワーク装置の構成図（その１）である。
【図６】本開示の一実施形態に係る端末の構成図（その２）である。
【図７】本開示の一実施形態に係るネットワーク装置の構成図（その２）である。
【発明を実施するための形態】
【００１７】
以下、図面を参照しながら本開示の実施形態の詳細について述べる。下記の実施例は、本開示の一部の実施形態であって、すべての実施形態ではない。本開示の実施形態に基づいて、本分野の一般技術者が創造的な労働を作り出していないことを前提として取得した、その他のすべての実施形態は、すべて本開示の保護対象となる。
【００１８】
本開示の明細書と特許請求の範囲に記載の用語「備える」、「含む」およびその他のすべての変形は、「非排他的な包括」という意味をカバーすることを意図する。たとえば、一連の手順と手段のプロセス、方法、システム、製品またはデバイスを含む場合、その手順または手段を詳しく列記することに限定されなく、詳しく列記していない手順と手段、またはそのプロセス、方法、製品、デバイスの固有的な他の手順または手段を含み得るということである。また、明細書と請求項で用いた「および／または」は、接続対象のうちの、少なくとも１つ以上のものを示す。たとえば、Ａおよび／またはＢは、Ａ、ＢまたはＡとＢの３つの状況を示す。
【００１９】
本開示の実施形態に関する説明に記載の「例示的」または「たとえば」などの用語は、用例、例証または説明を示す。本開示の実施形態に関して、「例示的」または「たとえば」で説明しているいかなる実施形態または設計方法は、他の実施形態または設計方法よりも好ましいかまたは有利であると必ずしも解釈されるべきではない。むしろ、語句「例示的」または「たとえば」の使用は、具体的な形で概念を提示することが意図される。
【００２０】
本開示に記載の技術は、ＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されなく、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）などのさまざまな無線通信システムにも適用可能である。
【００２１】
用語「システム」および「ネットワーク」は、区別なく使用されることが多い。ＣＤＭＡシステムはＣＤＭＡ２０００、ＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現可能である。ＵＴＲＡは、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）  およびＣＤＭＡの他の変形を含んでいる。ＴＤＭＡシステムはモバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）などの無線技術を実現可能である。ＯＦＤＭＡシステムは、ウルトラ・モバイル・ブロードバンド（Ｕｌｔｒａ  Ｍｏｂｉｌｅ  Ｂｒｏａｄｂａｎｄ、ＵＭＢ）、進化型ＵＴＲＡ（Ｅｖｏｌｕｔｉｏｎ−ＵＴＲＡ、Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭなどのような無線技術を実施可能である。ＵＴＲＡおよびＥ−ＵＴＲＡはユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の一部である。ＬＴＥとより高度なＬＴＥ（ＬＴＥ−Ａなど）は、Ｅ−ＵＴＲＡを採用した新しいＵＭＴＳバージョンである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ、３ＧＰＰ）という名称の組織から発行された文書において記述されている。ＣＤＭＡ２０００およびＵＭＢは、「第３世代パートナーシッププロジェクト２」（３ＧＰＰ２）という名称の組織から発行された文書において記述されている。本開示に記述された技術は、上記のすべてのシステムおよび無線技術に使用可能であって、その他のシステムおよび無線技術にも適用可能である。
【００２２】
以下、図面に基づいて本発明の実施の形態を説明する。本開示により提供される測定方法、設定方法および装置は無線通信システムに適用可能である。図１は、本開示の一実施形態に係る無線通信システムのアーキテクチャを示す図である。図１に示すように、当該無線通信システムは、ネットワーク装置１０と、端末と、を備える。端末をユーザ装置（Ｕｓｅｒ  Ｅｑｕｉｐｍｅｎｔ、ＵＥ）１１と記す。ＵＥ１１は、ネットワーク装置１０と通信（シグナリングの通信またはデータの転送）することができる。実際的な応用に際して、上記の各デバイス間の接続は、無線接続を使用することができる。各デバイス間の接続関係を直観的に表すために、図１に実線で示す。なお、前記通信システムは複数のＵＥ１１を備えることが可能であって、ネットワーク装置１０は複数のＵＥ１１と通信することが可能である。
【００２３】
本開示により提供される端末は、携帯電話、タブレット、ノートパソコン、ウルトラモバイルＰＣ（Ｕｌｔｒａ−Ｍｏｂｉｌｅ  Ｐｅｒｓｏｎａｌ  Ｃｏｍｐｕｔｅｒ、ＵＭＰＣ）、携帯情報端末（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブル端末（Ｗｅａｒａｂｌｅ  Ｄｅｖｉｃｅ）または車載端末などとすることができる。
【００２４】
本開示の一実施形態により提供されるネットワーク装置１０を基地局とすることができる。また、当該基地局は、一般的に使用されている基地局、もしくはｅＮＢ（ｅｖｏｌｖｅｄ  ｎｏｄｅ  ｂａｓｅ  ｓｔａｔｉｏｎ）、５Ｇシステムのネットワーク装置（ｇＮＢ（ｎｅｘｔ  ｇｅｎｅｒａｔｉｏｎ  ｎｏｄｅ  ｂａｓｅ  ｓｔａｔｉｏｎ）、送信・受信ポイント（ｔｒａｎｓｍｉｓｓｉｏｎ  ａｎｄ  ｒｅｃｅｐｔｉｏｎ  ｐｏｉｎｔ、ＴＲＰ）など）などの装置であってもよい。
【００２５】
図２に本開示の一実施形態に係る測定方法を示す。当該方法の実行側は、端末であってもよい。具体的な手順は以下のとおりである。
【００２６】
ステップ２０１：ネットワーク装置が設定されている測定値の閾値を受信する。
なお、ネットワーク装置が設定されている測定値の閾値は、測定値の１つまたは複数のレベルの閾値を含む。前記複数のレベルの閾値は、測定値の複数の異なる閾値であって、複数のレベルの閾値を設定することにより、隣接セルの測定および／または追跡を判断する正確性を高め、端末の隣接セルに対する測定回数を減らすことができる。
【００２７】
また、ブロードキャストメッセージ、システムメッセージ（システム情報ブロック（Ｓｙｓｔｅｍ  Ｉｎｆｏｒｍａｔｉｏｎ  Ｂｌｏｃｋ、ＳＩＢ）など）、無線リソース制御（Ｒａｄｉｏ  Ｒｅｓｏｕｒｃｅ  Ｃｏｎｔｒｏｌ、ＲＲＣ）メッセージ（ＲＲＣ解除またはＲＲＣ一時停止などのメッセージ）または下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）から伝送するデータにより、端末に対して隣接セルの測定に使用する測定値の１つまたは複数のレベルの閾値を設定することも可能である。
【００２８】
なお、本開示の実施形態は、異なる周波数（ｉｎｔｅｒ−ｆｒｅｑｕｅｎｃｙ）または異なるシステム（Ｉｎｔｅｒ−ＲＡＴ）にまたがる場合に適用可能である。たとえば、ステップ２０１において、異なるシステムおよび／または隣接する周波数の優先度が端末の位置するセルの周波数より高い場合、ネットワーク装置が設定されている測定値に該当する１つまたは複数のレベルの閾値を受信する。
【００２９】
ここで、測定値に該当する複数のレベルの閾値は、複数の測定値の閾値である。前記複数の測定値の閾値の数は、２つ以上とすることができる。たとえば、測定値に該当する複数のレベルの閾値は、第１レベルの閾値および第２レベルの閾値、または、第１レベルの閾値、第２レベルの閾値および第３レベルの閾値、もしくは、第１レベルの閾値、第２レベルの閾値、第３レベルの閾値および第４レベルの閾値などを含む。本開示において、測定値に該当する複数のレベルの閾値は、特に限定されるものではない。
【００３０】
ここで、測定値は測定性能値とも呼ばれる。測定値は、受信信号電力対干渉および雑音電力比である受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、参照信号受信品質（ＲＳＲＱ）のうちの少なくとも１つを示す。
【００３１】
ステップ２０２：端末が位置するセルまたは隣接セルの測定値、および測定値の閾値が第１条件を満たす場合において、第１条件に該当する目標隣接セルに対する測定および／または追跡を確定する。
【００３２】
ここで、端末が位置するセルは、サービングセルまたは常駐セルを含む。
【００３３】
オプションで、本方法は、ステップ２０２の実行前に、ネットワーク装置が設定されている、プリセット隣接セルの数および／またはプリセットの隣接セルグループに関する情報を受信することを含み得る。たとえば、ブロードキャストメッセージ、システムメッセージ、ＲＲＣメッセージまたはＰＤＣＣＨから伝送するデータにより、ネットワーク装置が設定されている、プリセット隣接セルの数および／またはプリセットの隣接セルグループに関する情報を受信する。
【００３４】
たとえば、プリセット隣接セルの数またはプリセットの隣接セルグループに関する情報は、プリセット隣接セルとプリセットの隣接セルグループを明示的または暗黙的に指示するために使用する。そのうち、各プリセットの隣接セルグループは、１つまたは複数の隣接セルを含む。
【００３５】
ここで、プリセットの隣接セルグループの分割方法は、第１の隣接セルグループ、または、第１の隣接セルグループおよび第２の隣接セルグループ、もしくは、第１の隣接セルグループ、第２の隣接セルグループおよび第３の隣接セルグループなど、を含み、本開示に記述された、プリセットの隣接セルグループの具体的な分割方法は、特に限定されるものではない。
【００３６】
オプションで、本方法は、ステップ２０２の実行後に、目標隣接セルを検索して（つまり、この目標隣接セルの検索を試みる）、検索したすべてまたは第１プリセット数の目標隣接セルに対して測定することを含み得る。当該目標隣接セル以外、その他の隣接セルは、検索または測定対象としない。
【００３７】
また、本開示の実施形態において、測定値の閾値は、第１閾値、第２閾値および第３閾値のうち、少なくとも１つを含み得る。
【００３８】
そのうち、第１条件は以下の少なくとも１つを含み得る。
端末が位置するセルの測定値＜第１閾値
隣接セルの測定値＞第２閾値
該当する測定値＞第３閾値の隣接セル数＞第２プリセット数
【００３９】
そのうち、目標隣接セルは以下の少なくとも１つを含み得る。
プリセットの第１隣接セルグループにある隣接セル
該当する測定値＞第２閾値または第３閾値の隣接セル
第３プリセット数の隣接セル
【００４０】
なお、本開示に記述された、第１閾値、第２閾値および第３閾値、ならびに、第１プリセット数、第２プリセット数および第３プリセット数は、特に限定されるものではない。
【００４１】
また、本開示の実施形態において、測定値の閾値は、第４閾値、第５閾値、第６閾値、第７閾値および第８閾値のうち、少なくとも１つを含み得る。
【００４２】
そのうち、第１条件は以下の少なくとも１つを含み得る。
端末が位置するセルの測定値＜第４閾値
隣接セルの測定値＞第５閾値
該当する測定値＞第６閾値の隣接セル数＞第４プリセット数
現在測定または追跡する隣接セルの測定値＜第７閾値
第１隣接セルグループにある隣接セルの測定値＜第８閾値
【００４３】
そのうち、目標隣接セルは以下の少なくとも１つを含み得る。
プリセットの第２隣接セルグループにある隣接セル
該当する測定値＞第５閾値または第６閾値の隣接セル
第５プリセット数の隣接セル
【００４４】
なお、本開示に記述された、第４閾値、第５閾値、第６閾値、第７閾値、第８閾値、第４プリセット数および第５プリセット数は、特に限定されるものではない。
【００４５】
また、本開示の実施形態において、オプションで、第１閾値＞第４閾値、第２閾値＞第５閾値、第３閾値＞第６閾値、または、
第１閾値＜第４閾値、第２閾値＜第５閾値、第３閾値＜第６閾値、を含み得る。
【００４６】
測定値に該当する複数のレベルの閾値が、測定値の２つのレベルの閾値である場合を例とする。また、測定値の２つのレベルの閾値は、第１閾値、第２閾値、第３閾値のうちの少なくとも１つと、第４閾値、第５閾値、第６閾値、第７閾値および第８閾値のうちの少なくとも１つと、を含み得る。
【００４７】
例示的に、測定値の２つのレベルの閾値は、第１閾値（第１レベルの閾値）と、第４閾値（第２レベルの閾値）と、を含み得る。第１閾値は２ｄＢ、第４閾値は６ｄＢ、端末が位置するセルの測定値は４ｄＢの場合、端末が位置するセルの測定値が第４閾値より小さいという条件を満たし、目標隣接セルはプリセットの第２隣接セルグループにある隣接セルとすることができる。
【００４８】
上記の内容は、測定値に該当する複数のレベルの閾値が第１レベルの閾値および第２レベルの閾値を備える場合を例として説明することを意図している。測定値に該当する複数のレベルの閾値が第３レベルの閾値またはその他のレベルの閾値を含む場合、第３レベルの閾値またはその他のレベルの閾値の設定方法は、第１レベルの閾値および第２レベルの閾値の設定方法と類似する。
【００４９】
また、本開示の実施形態において、オプションで、隣接セルの測定値＞第２閾値または第５閾値という条件は、以下の少なくとも１つを含み得る。
第６プリセット数またはネットワーク設定の隣接セルリストにあるすべての隣接セルの測定値＞第２閾値または第５閾値
該当する測定値＞第２閾値または第５閾値の隣接セル数＞第７プリセット数
（第１のプリセット時間において）第８プリセット数またはネットワーク設定の隣接セルリストにあるすべての隣接セルの測定値＞第２閾値または第５閾値
（第２のプリセット時間において）該当する測定値＞第２閾値または第５閾値の隣接セル数＞第９プリセット数
【００５０】
なお、本開示に記述された、第１のプリセット時間、第２のプリセット時間、第６プリセット数、第７プリセット数、第８プリセット数および第９プリセット数は、特に限定されるものではない。
【００５１】
また、本開示の実施形態において、オプションで、隣接セルの測定値＜第７閾値または第８閾値という条件は、以下の少なくとも１つを含み得る。
第１０プリセット数またはネットワーク設定の隣接セルリストにあるすべての隣接セルの測定値＜第７閾値または第８閾値
第１１プリセット数＜該当する測定値＜第７閾値または第８閾値の隣接セル数
（第３のプリセット時間において）第１２プリセット数またはネットワーク設定の隣接セルリストにあるすべての隣接セルの測定値＜第７閾値または第８閾値
（第４のプリセット時間において）第１３プリセット数＜該当する測定値＜第７閾値または第８閾値の隣接セル数
【００５２】
なお、本開示に記述された、第３のプリセット時間、第４のプリセット時間、第１０プリセット数、第１１プリセット数、第１２プリセット数および第１３プリセット数は、特に限定されるものではない。
【００５３】
本開示の実施形態において、端末による隣接セルの測定および／または追跡を実行する回数を減らして、省電力の目的を達成することができる。
【００５４】
図３に本開示の一実施形態に係る設定方法を示す。当該方法の実行側は、ネットワーク装置であってもよい。具体的な手順は以下のとおりである。
【００５５】
ステップ３０１：端末の測定値の閾値を設定することで、端末が位置するセルまたは隣接セルの測定値、および測定値の閾値が第１条件を満たさせて、第１条件に該当する目標隣接セルに対する測定および／または追跡を確定する。
【００５６】
ここで、測定値は測定性能とも呼ばれ、ＳＩＮＲ、ＲＳＲＰ、ＲＳＲＱのうちの少なくとも１つを示す。測定値の閾値は、測定値の１つまたは複数のレベルの閾値とすることができる。
【００５７】
また、本開示の実施形態において、オプションで、ステップ３０１の実行中、ブロードキャストメッセージ、システムメッセージ、ＲＲＣメッセージまたはＰＤＣＣＨから伝送するデータにより、前述端末の測定値の閾値を設定することができる。
【００５８】
オプションで、本方法は、ステップ３０１の実行前または実行後に、プリセット隣接セルの数および／またはプリセットの隣接セルグループに関する情報を設定することを含み得る。たとえば、ブロードキャストメッセージ、システムメッセージ、ＲＲＣメッセージまたはＰＤＣＣＨから伝送するデータにより、プリセット隣接セルの数および／またはプリセットの隣接セルグループに関する情報を設定する。
【００５９】
なお、図３に示す設定方法の実施形態における、測定値の閾値、第１条件などの内容については、図２に示す測定方法の実施形態を参照することができる。
【００６０】
本開示の実施形態において、端末による隣接セルの測定および／または追跡を実行する回数を減らして、省電力の目的を達成することができる。
【００６１】
例１：
【００６２】
ステップ１：端末により、ネットワーク装置がブロードキャストメッセージ、システムメッセージ（システム情報ブロック（Ｓｙｓｔｅｍ  Ｉｎｆｏｒｍａｔｉｏｎ  Ｂｌｏｃｋ、ＳＩＢ）など）、無線リソース制御（Ｒａｄｉｏ  Ｒｅｓｏｕｒｃｅ  Ｃｏｎｔｒｏｌ、ＲＲＣ）メッセージ（ＲＲＣ解除またはＲＲＣ一時停止などのメッセージ）または下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を介して伝送するデータを受信し、端末に対して隣接セルの測定に使用する２つ以上のレベルの閾値を設定する。
【００６３】
そのうち、測定値は測定性能値とも呼ばれる。前述測定値は、ＳＩＮＲ、ＲＳＲＰ、ＲＳＲＱのうちの少なくとも１つを示す。
【００６４】
また、オプションで、ブロードキャストメッセージ、システムメッセージ（ＳＩＢなど）、ＲＲＣメッセージ（ＲＲＣ解除またはＲＲＣ一時停止などのメッセージ）またはＰＤＣＣＨから伝送するデータにより、端末のためにプリセット隣接セルの数および／またはプリセットの隣接セルグループに関する情報を設定する。
【００６５】
ステップ２：端末は、受信する測定値の複数のレベルの閾値、および端末が位置するセルまたは隣接セルの測定値により、隣接セルの測定判断および／または追跡判断を実行する。
【００６６】
ここで、端末が位置するセルは、サービングセルまたは常駐セルを含む。
【００６７】
ステップ２に記述された、端末が位置するセルまたは隣接セルの測定値、および測定値に該当する複数のレベルの閾値にある１つのレベルの閾値が第１条件を満たす場合において測定および／または追跡を確定する目標隣接セルは、第１条件に対応する。
【００６８】
また、測定および／または追跡の目標隣接セルを確定した後、前述方法は、オプションで、目標隣接セルを検索（つまり、この目標隣接セルの検索を試みる）して、検索したすべてまたは第１プリセット数の目標隣接セルに対して測定することを含み得る。
【００６９】
なお、目標隣接セル以外、その他の隣接セルを検索または測定の対象としないことを理解されたい。
【００７０】
また、測定値に該当する複数のレベルの閾値にある、第１レベルの閾値は、第１閾値、第２閾値および第３閾値のうち、少なくとも１つを含み得る。
【００７１】
そのうち、第１条件は以下の少なくとも１つを含む。
（１）  端末が位置するセルの測定値＜第１閾値
（２）  隣接セルの測定値＞第２閾値
（３）  第１隣接セルの数＞第２プリセット数（ここで、第１隣接セルは、測定値＞第３閾値の隣接セル）
【００７２】
そのうち、第２閾値は第３閾値と同じであっても、異なってもよい。
【００７３】
オプションで、目標隣接セルは以下の少なくとも１つを含み得る。
（１）  プリセットの第１隣接セルグループにある隣接セル
（２）  該当する測定値＞第２閾値または第３閾値の隣接セル
（３）  第３プリセット数の隣接セル
【００７４】
また、測定値に該当する複数のレベルの閾値にある、第２レベルの閾値は、第４閾値、第５閾値、第６閾値、第７閾値および第８閾値のうち、少なくとも１つを含み得る。
【００７５】
そのうち、第１条件は以下の少なくとも１つを含む。
（１）  端末が位置するセルの測定値＜第４閾値
（２）  隣接セルの測定値＞第５閾値
（３）  第２隣接セルの数＞第４プリセット数（ここで、第２隣接セルは、測定値＞第６閾値の隣接セル）
（４）  現在測定または追跡する隣接セルの測定値＜第７閾値
（５）  第１隣接セルグループにある隣接セルの測定値＜第８閾値
【００７６】
そのうち、第５閾値は第６閾値と同じであっても、異なってもよい。
【００７７】
オプションで、目標隣接セルは以下の少なくとも１つを含み得る。
（１）  プリセットの第２隣接セルグループにある隣接セル
（２）  該当する測定値＞第５閾値または第６閾値の隣接セル
（３）  第５プリセット数の隣接セル
【００７８】
また、オプションで、第１閾値＞第４閾値、第２閾値＞第５閾値、第３閾値＞第６閾値、または、第１閾値＜第４閾値、第２閾値＜第５閾値、第３閾値＜第６閾値、を含み得る。
【００７９】
なお、当該測定値の、複数のレベルの閾値は、第３レベルの閾値、および第４レベルの閾値を含み得る。その具体的な実施方法は上記のステップ２と類似する。つまり、複数のレベルの閾値を導入した後、上記のステップ２を続行可能であって、隣接セルリストにある隣接セルを複数の隣接セルグループに分けることができる。前記複数の隣接セルグループは、すなわち、第３の隣接セルグループ、第４の隣接セルグループである。
【００８０】
さらに、隣接セルの測定値＞第２閾値または第５閾値という条件は、以下の少なくとも１つを備える。
（１）  第６プリセット数またはネットワーク設定の隣接セルリストにあるすべての隣接セルの測定値＞第２閾値または第５閾値
（２）  該当する測定値＞第２閾値または第５閾値の隣接セル数＞第７プリセット数
（３）  （第１のプリセット時間において）第８プリセット数またはネットワーク設定の隣接セルリストにあるすべての隣接セルの測定値＞第２閾値または第５閾値
（４）  （第２のプリセット時間において）該当する測定値＞第２閾値または第５閾値の隣接セル数＞第９プリセット数
【００８１】
さらに、隣接セルの測定値＜第７閾値または第８閾値という条件は、以下の少なくとも１つを備える。
（１）  第１０プリセット数またはネットワーク設定の隣接セルリストにあるすべての隣接セルの測定値＜第７閾値または第８閾値
（２）  第１１プリセット数＜該当する測定値＜第７閾値または第８閾値の隣接セル数
（３）  （第３のプリセット時間において）第１２プリセット数またはネットワーク設定の隣接セルリストにあるすべての隣接セルの測定値＜第７閾値または第８閾値
（４）  （第４のプリセット時間において）第１３プリセット数＜該当する測定値＜第７閾値または第８閾値の隣接セル数
【００８２】
例２：異なる周波数（ｉｎｔｅｒ−ｆｒｅｑｕｅｎｃｙ）または異なるシステム（Ｉｎｔｅｒ−ＲＡＴ）にまたがる場合を例とする。
【００８３】
Ｉｎｔｅｒ−ＲＡＴおよび／または隣接周波数の優先度が第１の周波数より高い場合、例１に記載の技術方法で隣接セルおよび／または追跡を実行する。第１の周波数は、端末が位置するセルの周波数を指す。
【００８４】
なお、例２の中で、例１と同じ内容については、例１を参照することができる。
【００８５】
本開示は、１つの端末も提供する。端末による問題解決の原理は本開示の実施形態に関する説明に記述された測定方法と類似するため、当該端末の実施形態については、前記方法の実施形態を参照することができる。
【００８６】
図４に、本開示により提供される１つの端末を示す。前記端末４００は、
ネットワーク装置が設定されている測定値の閾値を受信するための受信モジュール４０１と、
端末が位置するセルまたは隣接セルの測定値、および測定値の閾値が第１条件を満たす場合において、第１条件に該当する目標隣接セルに対する測定および／または追跡を確定するための処理モジュール４０２と、を備える。
【００８７】
本開示の実施形態において、オプションで、処理モジュール４０２は、測定および／または追跡の目標隣接セルを確定した後、目標隣接セルを検索（つまり、この目標隣接セルの検索を試みる）して、検索したすべてまたは第１プリセット数の目標隣接セルに対して測定することに使用可能である。
【００８８】
また、本開示の実施形態において、測定値の閾値は、第１閾値、第２閾値および第３閾値のうち、少なくとも１つを含み得る。
【００８９】
そのうち、第１条件は以下の少なくとも１つを含む。
端末が位置するセルの測定値＜第１閾値
隣接セルの測定値＞第２閾値
該当する測定値＞第３閾値の隣接セル数＞第２プリセット数
【００９０】
そのうち、目標隣接セルは以下の少なくとも１つを含む。
プリセットの第１隣接セルグループにある隣接セル
該当する測定値＞第２閾値または第３閾値の隣接セル
第３プリセット数の隣接セル
【００９１】
また、本開示の実施形態において、測定値の閾値は、第４閾値、第５閾値、第６閾値、第７閾値および第８閾値のうち、少なくとも１つを含む。
【００９２】
そのうち、第１条件は以下の少なくとも１つを含む。
端末が位置するセルの測定値＜第４閾値
隣接セルの測定値＞第５閾値
該当する測定値＞第６閾値の隣接セル数＞第４プリセット数
現在測定または追跡する隣接セルの測定値＜第７閾値
第１隣接セルグループにある隣接セルの測定値＜第８閾値
【００９３】
そのうち、目標隣接セルは以下の少なくとも１つを含む。
プリセットの第２隣接セルグループにある隣接セル
該当する測定値＞第５閾値または第６閾値の隣接セル
第５プリセット数の隣接セル
【００９４】
また、本開示の実施形態において、オプションで、第１閾値＞第４閾値、第２閾値＞第５閾値、第３閾値＞第６閾値、または、
第１閾値＜第４閾値、第２閾値＜第５閾値、第３閾値＜第６閾値、を含み得る。
【００９５】
また、本開示の実施形態において、オプションで、隣接セルの測定値＞第２閾値または第５閾値という条件は、以下の少なくとも１つを含み得る。
第６プリセット数またはネットワーク設定の隣接セルリストにあるすべての隣接セルの測定値＞第２閾値または第５閾値
該当する測定値＞第２閾値または第５閾値の隣接セル数＞第７プリセット数
（第１のプリセット時間において）第８プリセット数またはネットワーク設定の隣接セルリストにあるすべての隣接セルの測定値＞第２閾値または第５閾値
（第２のプリセット時間において）該当する測定値＞第２閾値または第５閾値の隣接セル数＞第９プリセット数
【００９６】
また、本開示の実施形態において、オプションで、隣接セルの測定値＜第７閾値または第８閾値という条件は、以下の少なくとも１つを含み得る。
第１０プリセット数またはネットワーク設定の隣接セルリストにあるすべての隣接セルの測定値＜第７閾値または第８閾値
第１１プリセット数＜該当する測定値＜第７閾値または第８閾値の隣接セル数
（第３のプリセット時間において）第１２プリセット数またはネットワーク設定の隣接セルリストにあるすべての隣接セルの測定値＜第７閾値または第８閾値
（第４のプリセット時間において）第１３プリセット数＜該当する測定値＜第７閾値または第８閾値の隣接セル数
【００９７】
また、本開示の実施形態において、オプションで、受信モジュール４０１はさらに、
ブロードキャストメッセージ、システムメッセージ、ＲＲＣメッセージまたはＰＤＣＣＨから伝送するデータにより、ネットワーク装置が設定されている、測定値の閾値を受信することに使用可能である。
【００９８】
また、本開示の実施形態において、受信モジュール４０１はさらに、ネットワーク装置が設定されている、プリセット隣接セルの数および／またはプリセットの隣接セルグループに関する情報を受信することに使用可能である。
【００９９】
また、本開示の実施形態において、受信モジュール４０１はさらに、ブロードキャストメッセージ、システムメッセージ、ＲＲＣメッセージまたはＰＤＣＣＨから伝送するデータにより、ネットワーク装置が設定されている、プリセット隣接セルの数および／またはプリセットの隣接セルグループに関する情報を受信することに使用可能である。
【０１００】
また、本開示の実施形態において、受信モジュール４０１は、ｉｎｔｅｒ−ＲＡＴおよび／または隣接する周波数の優先度が端末の位置するセルの周波数より高い場合、ネットワーク装置が設定されている測定値の閾値を受信することに使用可能である。
【０１０１】
本開示により提供される端末は、前記方法を実行することができる。その実現原理と技術効果が類似するため、ここでは説明を省略する。
【０１０２】
本開示は、１つのネットワーク装置も提供する。ネットワーク装置による問題解決の原理は本開示の実施形態に関する説明に記述された測定方法と類似するため、当該ネットワーク装置の実施形態については、前記方法の実施形態を参照することができる。
【０１０３】
図５に、本開示により提供される１つのネットワーク装置を示す。前記ネットワーク装置５００は、
端末の測定値の閾値を設定することで、端末が位置するセルまたは隣接セルの測定値、および測定値の閾値が第１条件を満たさせて、第１条件に該当する目標隣接セルに対する測定および／または追跡を確定するための、設定モジュール５０１を備える。
【０１０４】
また、本開示の実施形態において、オプションで、設定モジュール５０１はさらに、ブロードキャストメッセージ、システムメッセージ、ＲＲＣメッセージまたはＰＤＣＣＨから伝送するデータにより、前述端末の測定値の、複数のレベルの閾値を設定することができる。
【０１０５】
また、本開示の実施形態において、受信モジュール５０１はさらに、プリセット隣接セルの数および／またはプリセットの隣接セルグループに関する情報を設定することに使用可能である。
【０１０６】
また、本開示の実施形態において、受信モジュール５０１はさらに、ブロードキャストメッセージ、システムメッセージ、ＲＲＣメッセージまたはＰＤＣＣＨから伝送するデータにより、プリセット隣接セルの数および／またはプリセットの隣接セルグループに関する情報を設定することに使用可能である。
【０１０７】
本開示により提供されるネットワーク装置は、前記方法を実行することができる。その実現原理と技術効果が類似するため、ここでは説明を省略する。
【０１０８】
図６に示すように、端末６００（図６を参照）は、少なくとも１つのプロセッサ６０１、メモリ６０２、少なくとも１つのネットワークインターフェース６０４およびユーザインターフェース６０３を含む。端末６００の各構成要素は、バスシステム６０５によって連結されている。バスシステム６０５はこれらの構成要素間の接続通信に使用することが想到される。バスシステム６０５は、データバスに加えて、電源バス、制御バスおよびステータス信号バスを含む。明確化のために、各バスをすべてバスシステム６０５として、図６に記す。
【０１０９】
そのうち、ユーザインターフェース６０３は、ディスプレイ、キーボードまたはポインティングデバイス（マウス、トラックボール、タッチパッドまたはタッチスクリーンなど）を備え得る。
【０１１０】
本開示に記述されたメモリ６０２は、揮発性メモリまたは不揮発性メモリとすることができる。または、揮発性メモリと不揮発性メモリの両方を備え得る。ここで、不揮発性メモリは、読み出し専用メモリ（Ｒｅａｄ−Ｏｎｌｙ  Ｍｅｍｏｒｙ、ＲＯＭ）、プログラム可能読み出し専用メモリ（Ｐｒｏｇｒａｍｍａｂｌｅ  ＲＯＭ、ＰＲＯＭ）、消去プログラム可能読み出し専用メモリ（Ｅｒａｓａｂｌｅ  ＰＲＯＭ、ＥＰＲＯＭ）、電気的消去可能プログラム可能読み出し専用メモリ（Ｅｌｅｃｔｒｉｃａｌｌｙ  ＥＰＲＯＭ、ＥＥＰＲＯＭ）、またはフラッシュメモリとすることができる。揮発性メモリは、外部の高速キャッシュとして動作するランダムアクセスメモリ（Ｒａｎｄｏｍ  Ａｃｃｅｓｓ  Ｍｅｍｏｒｙ、ＲＡＭ）とすることができる。例示的であって限定的ではない説明によれば、たとえば、スタティックＲＡＭ（Ｓｔａｔｉｃ  ＲＡＭ、ＳＲＡＭ）、ダイナミックＲＡＭ（Ｄｙｎａｍｉｃ  ＲＡＭ、ＤＲＡＭ）、シンクロナスＤＲＡＭ（Ｓｙｎｃｈｒｏｎｏｕｓ  ＤＲＡＭ、ＳＤＲＡＭ）、ダブルデータレートＳＤＲＡＭ（Ｄｏｕｂｌｅ  Ｄａｔａ  ｒａｔｅ  ＳＤＲＡＭ、ＤＤＲ  ＳＤＲＡＭ）、拡張ＳＤＲＡＭ（Ｅｎｈａｎｃｅｄ  ＳＤＲＡＭ、ＥＳＤＲＡＭ）、シンクロナスリンクＤＲＡＭ（Ｓｙｎｃｈｌｉｎｋ  ＤＲＡＭ、ＳＬＤＲＡＭ）、および直接メモリバスＲＡＭ（Ｄｉｒｅｃｔ  Ｒａｍｂｕｓ  ＲＡＭ、ＤＲＲＡＭ）など、複数の形式のＲＡＭは使用可能である。本開示に記述された、システムおよび方法のメモリ６０２は、限定される訳ではないが、これらおよびその他任意の適切なタイプのメモリを備えることが意図される。
【０１１１】
一部の実施形態において、メモリ６０２は、実行可能なモジュールまたはデータ構造、またはこれらの部分集合または拡張集合であるオペレーティングシステム６０２１およびアプリケーション６０２２を保存している。
【０１１２】
そのうち、オペレーティングシステム６０２１は、たとえば、フレームレイヤ、コアデータベースレイヤ、駆動レイヤなど、さまざまなシステムプログラムを含み、多種な基本サービスの実現およびハードウェアベースのタスク処理に使用する。アプリケーション６０２２は、メディアプレーヤ、ブラウザなど、さまざまなアプリケーションを含み、多種なアプリケーションサービスの実現に使用する。本開示の実施形態に係る方法のプログラムは、アプリケーション６０２２の中に含み得る。
【０１１３】
本開示の一実施形態において、メモリ６０２に保存されているプログラムまたはコマンド（具体的には、アプリケーション６０２２に保存されているプログラムまたはコマンドであってもよい）を呼び出すことにより、ネットワーク装置が設定されている測定値の閾値を受信するステップと、前記端末が位置するセルまたは隣接セルの測定値、および測定値の閾値が第１条件を満たす場合において、第１条件に該当する目標隣接セルに対する測定および／または追跡を確定するステップと、を実行する。
【０１１４】
本開示により提供される端末は、前記方法を実行することができる。その実現原理と技術効果が類似するため、ここでは説明を省略する。
【０１１５】
図７は、本開示の実施形態において応用するネットワーク装置の構成図である。図７に示すように、ネットワーク装置７００は、プロセッサ７０１と、トランシーバ７０２と、メモリ７０３と、バスインターフェースと、を備える。そのうち、
本開示の一実施形態において、ネットワーク装置７００はさらに、メモリ７０３に格納されており、プロセッサ７０１で実行可能なコンピュータプログラムを含む。プロセッサ７０１からコンピュータプログラムを実行する場合、端末の測定値の閾値を設定して、端末が位置するセルまたは隣接セルの測定値、および測定値の閾値が第１条件を満たさせて、第１条件に該当する目標隣接セルに対する測定および／または追跡を確定する、というステップが実行される。
【０１１６】
図７に示すバスアーキテクチャは、任意の数の相互に接続するバスおよびブリッジを含み得る。具体的には、プロセッサ７０１が代表する１つまたは複数のプロセッサによって、メモリ７０３が代表する各回路と接続する。また、バスアーキテクチャは、周辺デバイスや、調整器、電力管理回路などの多種な他の電気回路と接続しても構わない。これらはすべて公知の技術であるため、ここでは説明を省略する。バスインターフェースは、インターフェースを提供する。トランシーバ７０２は複数の素子であってもよい。すなわち、送信器と、受信器と、を含み、伝送媒体で多種な他の装置と通信するためのユニットを提供する。
【０１１７】
プロセッサ７０１は、バスアーキテクチャと一般的な処理の管理の役割を担う。メモリ７０３は、プロセッサ７０１の実行時に使用したデータを格納することができる。
【０１１８】
本開示により提供されるネットワーク装置は、前記方法を実行することができる。その実現原理と技術効果が類似するため、ここでは説明を省略する。
【０１１９】
本開示に関連して説明された方法またはアルゴリズムのステップを、ハードウェアで、または、プロセッサによって実行されるソフトウェアコマンドで、実施することができる。ソフトウェアコマンドは対応するソフトウェアモジュールから構成可能であって、ソフトウェアモジュールは、ＲＡＭ、フラッシュメモリ、ＲＯＭ、ＥＰＲＯＭ、ＥＥＰＲＯＭ、レジスタ、ハードディスク、リムーバブルハードディスク、ＣＤ−ＲＯＭ（Ｃｏｍｐａｃｔ  Ｄｉｓｃ−Ｒｅａｄ  Ｏｎｌｙ  Ｍｅｍｏｒｙ）または本分野でよく知られている他の形式の記憶媒体に保存することができる。例示的記憶媒体は、プロセッサが記憶媒体から情報を読み出し、記録媒体に対して情報を書き込むことが可能になるように、プロセッサに結合されてもよい。当然、記憶媒体はプロセッサの構成部分であってもよい。プロセッサおよび記憶媒体はＡＳＩＣの中に存在することができる。また、当該ＡＳＩＣは、コアネットワークのインターフェースデバイスの中に存在することができる。無論、プロセッサおよび記憶媒体はディスクリート構成要素としてコアネットワークのインターフェースデバイスに存在することもできる。
【０１２０】
本分野の技術者であれば、前記１つまたは複数の例において、本開示の説明した機能は、ハードウェア、ソフトウェア、ファームウェアまたはこれらの任意の組み合わせによって実現できることを認識できるだろう。ソフトウェアにより実現する場合は、これらの機能をコンピュータ読み取り可能な媒体に保存する、またはコンピュータ読み取り可能な媒体における１つまたは複数のコマンドまたはコードとして送信することができる。コンピュータ読み取り可能な媒体は、コンピュータの記憶媒体と、通信媒体と、を備える。その通信媒体は、１つの場所からもう１つの場所までコンピュータプログラムを伝送するすべての媒体を含む。記憶媒体は、通常または専用コンピュータによってアクセスできる任意の利用可能な媒体とすることができる。
【０１２１】
上記の具体的な実施方法は、本開示の目的、技術方法および作用・効果について、さらに説明している。上記の内容は本開示の具体的な実施方法のみであって、本開示の保護範囲を限定するものではない。本開示の技術方法に基づいて行ったいかなる修正、均等物、改善などは、すべて本開示の保護対象となるべきである。
【０１２２】
本開示の実施形態は、方法、システムまたはコンピュータプログラム製品として提供可能であることを、本分野の技術者は理解すべきである。本開示の実施形態は、完全なハードウェアの実施形態、完全なソフトウェアの実施形態、またはソフトウェアとハードウェアを組み合わせた実施形態の形式を採用可能である。また、本開示の実施形態は、コンピュータ利用可能なプログラムコードを備える、１つまたは複数のコンピュータ利用可能な記憶媒体（ディスクメモリ、ＣＤ−ＲＯＭ、光メモリなどを含むが、これらに限定されない）で実行するコンピュータプログラムの形式を採用することができる。
【０１２３】
なお、本開示に記述されたこれらの実施形態は、ハードウェア、ソフトウェア、ファームウェア、ミドルウェア、マイクロコードまたはこれらの組み合わせによって実現可能である点が理解される。ハードウェア実現について、処理ユニットは、１つまたは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理デバイス（ＤＳＰ  Ｄｅｖｉｃｅ、ＤＳＰＤ）、プログラマブル論理デバイス（Ｐｒｏｇｒａｍｍａｂｌｅ  Ｌｏｇｉｃ  Ｄｅｖｉｃｅ、ＰＬＤ）、フィールド・プログラマブル・ゲート・アレイ（Ｆｉｅｌｄ−Ｐｒｏｇｒａｍｍａｂｌｅ  Ｇａｔｅ  Ａｒｒａｙ、ＦＰＧＡ）、プロセッサ、コントローラ、マイクロコントローラ、マイクロプロセッサ、本明細書に記載の機能を実行するために設計された他の電子ユニット、またはこれらの組み合わせで実現可能である。
【０１２４】
ソフトウェア実現について、本明細書に記載の技術は、ここに説明されている機能を実行するモジュール（たとえば、手順、関数など）によって実現可能である。ソフトウェアコードは、メモリに保存して、プロセッサで実行することができる。メモリは、プロセッサ内またはプロセッサ外部で実行することができる。
【０１２５】
本開示の実施形態は、本開示の実施形態の方法、装置（システム）およびコンピュータプログラム製品の流れ図および／またはブロック図を参照しながら説明している。コンピュータプログラムコマンドによって流れ図および／またはブロック図の各手順および／またはブロックと、流れ図および／ブロック図の手順および／またはブロックの組み合わせと、を実装可能であることを理解されよう。これらのコンピュータプログラムコマンドを、汎用コンピュータ、専用コンピュータ、または他のプログラム可能データ処理装置のプロセッサに提供してマシンを生成し、それにより、コンピュータまたは他のプログラム可能データ処理装置のプロセッサを介して実行されるコマンドが、流れ図の１つまたは複数の手順、および／またはブロック図の１つまたは複数のブロックにおいて指定される機能を実装するための手段を作り出すようにすることができる。
【０１２６】
これらのコンピュータプログラムコマンドは、コンピュータ読み取り可能なメモリに記憶させて、コンピュータまたはその他のプログラム可能データ処理装置を特定の方法で機能させ、コンピュータ読み取り可能なメモリに記憶されたコマンドによって、流れ図の１つまたは複数の手順、および／またはブロック図の１つまたは複数のブロックにおいて指定される機能を実施するコマンドを含む製品を生成するようにすることもできる。
【０１２７】
これらのコンピュータプログラムコマンドを、コンピュータまたはその他のプログラム可能データ処理装置に導入し、コンピュータまたは他のプログラム可能データ処理装置で一連の手順を実行させて、コンピュータによる処理を実装することによって、コンピュータまたはその他のプログラム可能データ処理装置において実行されるコマンドが、流れ図の１つまたは複数の手順、および／またはブロック図の１つまたは複数のブロックにおいて指定される機能の手順を実装するための手段を提供することもできる。
【０１２８】
明らかに、本分野の技術者は、本開示の趣旨および範囲内で、本開示の実施形態に対して、さまざまな変更および変形を行うことができる。したがって、本開示は、特許請求の範囲およびその均等技術の範囲内にある、本開示の実施形態に対するすべての変更および変形を含むことが意図される。
【図１】
2021535660.tif 000003
【図２】
2021535660.tif 000004
【図３】
2021535660.tif 000005
【図４】
2021535660.tif 000006
【図５】
2021535660.tif 000007
【図６】
2021535660.tif 000008
【図７】
2021535660.tif 000009
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
端末に適用する測定方法であって、
ネットワーク装置が設定されている測定値の閾値を受信することと、
端末が位置するセルまたは隣接セルの測定値、および測定値の閾値が第１条件を満たす場合において、第１条件に該当する目標隣接セルに対する測定および／または追跡を確定することと、を備えることを特徴とする測定方法。
【請求項２】
前記第１条件に該当する目標隣接セルに対する測定および／または追跡を確定した後、前記測定方法は、
目標隣接セルを検索して、検索したすべてまたは第１プリセット数の目標隣接セルに対して測定する、ことを備えることを特徴とする請求項１に記載の測定方法。
【請求項３】
測定値の閾値は、第１閾値、第２閾値および第３閾値のうち、少なくとも１つを含み、
前記第１条件は、
前記端末が位置するセルの測定値＜第１閾値、
前記隣接セルの測定値＞第２閾値、
該当する測定値＞第３閾値の隣接セル数＞第２プリセット数のうち、少なくとも１つを含み、
前記目標隣接セルは、
プリセットの第１隣接セルグループにある隣接セル、
該当する測定値＞第２閾値または第３閾値の隣接セル、
第３プリセット数の隣接セルのうち、少なくとも１つを備える、ことを特徴とする請求項１に記載の測定方法。
【請求項４】
測定値の閾値は、第４閾値、第５閾値、第６閾値、第７閾値および第８閾値のうち、少なくとも１つを含み、
前記第１条件は、
前記端末が位置するセルの測定値＜第４閾値、
前記隣接セルの測定値＞第５閾値、
該当する測定値＞第６閾値の隣接セル数＞第４プリセット数、
現在測定または追跡する隣接セルの測定値＜第７閾値、
プリセットの第１隣接セルグループにある隣接セルの測定値＜第８閾値のうち、少なくとも１つを含み、
前記目標隣接セルは、
プリセットの第２隣接セルグループにある隣接セル、
該当する測定値＞第５閾値または第６閾値の隣接セル、
第５プリセット数の隣接セルのうち、少なくとも１つを備える、ことを特徴とする請求項１または請求項３に記載の測定方法。
【請求項５】
第１閾値＞第４閾値、第２閾値＞第５閾値、第３閾値＞第６閾値、または、
第１閾値＜第４閾値、第２閾値＜第５閾値、第３閾値＜第６閾値を備える、ことを特徴とする請求項４に記載の測定方法。
【請求項６】
前記隣接セルの測定値＞第２閾値または第５閾値という条件は、
第６プリセット数または隣接セルリストにあるすべての隣接セルの測定値＞第２閾値または第５閾値、
該当する測定値＞第２閾値または第５閾値の隣接セル数＞第７プリセット数、
（第１のプリセット時間において）第８プリセット数または隣接セルリストにあるすべての隣接セルの測定値＞第２閾値または第５閾値、
（第２のプリセット時間において）該当する測定値＞第２閾値または第５閾値の隣接セル数＞第９プリセット数のうち、少なくとも１つを備える、ことを特徴とする請求項３または請求項４に記載の測定方法。
【請求項７】
前記隣接セルの測定値＜第７閾値または第８閾値という条件は、
第１０プリセット数または隣接セルリストにあるすべての隣接セルの測定値＜第７閾値または第８閾値、
第１１プリセット数＜該当する測定値＜第７閾値または第８閾値の隣接セル数、
（第３のプリセット時間において）第１２プリセット数または隣接セルリストにあるすべての隣接セルの測定値＜第７閾値または第８閾値、
（第４のプリセット時間において）第１３プリセット数＜該当する測定値＜第７閾値または第８閾値の隣接セル数のうち、少なくとも１つを備える、ことを特徴とする請求項４に記載の測定方法。
【請求項８】
前記端末が位置するセルまたは隣接セルの測定値、および前記測定値の閾値が第１条件を満たす場合において、第１条件に該当する目標隣接セルに対する測定および／または追跡を確定する前に、前記測定方法はさらに、
ネットワーク装置が設定されている、プリセット隣接セルの数および／またはプリセットの隣接セルグループに関する情報を受信することを備える、ことを特徴とする請求項１に記載の測定方法。
【請求項９】
ネットワーク装置が設定されている測定値の閾値を受信することは、
ｉｎｔｅｒ−ＲＡＴおよび／または隣接する周波数の優先度が端末の位置するセルの周波数より高い場合、前記ネットワーク装置が設定されている測定値の閾値を受信することを備える、ことを特徴とする請求項１〜８のいずれか１項に記載の測定方法。
【請求項１０】
ネットワーク装置に適用する１つの設定方法であって、
端末の測定値の閾値を設定することで、端末が位置するセルまたは隣接セルの測定値、および測定値の閾値が第１条件を満たさせて、第１条件に該当する目標隣接セルに対する測定および／または追跡を確定することを含む、ことを特徴とする設定方法。
【請求項１１】
前記端末に該当する測定値の閾値の設定前または設定後、前記設定方法はさらに、
プリセット隣接セルの数および／またはプリセットの隣接セルグループに関する情報を設定することを備える、ことを特徴とする請求項１０に記載の設定方法。
【請求項１２】
ネットワーク装置が設定されている測定値の閾値を受信するための受信モジュールと、
端末が位置するセルまたは隣接セルの測定値、および測定値の閾値が第１条件を満たす場合において、第１条件に該当する目標隣接セルに対する測定および／または追跡を確定するための処理モジュールと、を備えることを特徴とする端末。
【請求項１３】
前記処理モジュールは、目標隣接セルを検索して、検索したすべてまたは第１プリセット数の目標隣接セルに対して測定することに更に用いられる、ことを特徴とする請求項１２に記載の端末。
【請求項１４】
端末の測定値の閾値を設定して、端末が位置するセルまたは隣接セルの測定値、および測定値の閾値が第１条件を満たさせて、第１条件に該当する目標隣接セルに対する測定および／または追跡を確定するための設定モジュールを備える、ことを特徴とするネットワーク装置。
【請求項１５】
コンピュータプログラムが保存されており、プロセッサから前記コンピュータプログラムを実行すると、請求項１〜９のいずれか１項の測定方法のステップ、または請求項１０〜１１のいずれか１項の設定方法のステップが実行される、ことを特徴とするコンピュータ読み取り可能な記憶媒体。
【国際調査報告】
2021535660.tif 000010
2021535660.tif 000011
2021535660.tif 000012
2021535660.tif 000013